(57)【特許請求の範囲】
【請求項１】
ワイヤーと、
該ワイヤーの任意の位置に係止可能な、下記に記載のワイヤーグリッパーと、
該ワイヤーグリッパーの下記突出部に乗せられる棚板と、
を備える吊り棚であって、
前記ワイヤーグリッパーは、
下記（ア）、（イ）、（ウ）を有する内スリーブと、
（ア）ワイヤーが挿通されるワイヤー通し孔、
（イ）該ワイヤー通し孔の内面及びスリーブ外周面の双方に開口する、複数のボール
セット孔、
（ウ）該ボールセット孔の存在する部分のスリーブ外周に形成されたテーパ外周面、
前記ボールセット孔に嵌合するとともに、前記ワイヤー通し孔に一部突出して前記ワイヤーの外周面に押し当てられて前記ワイヤーを挟持する複数のボールと、
前記内スリーブのテーパ外周面に接するとともに、前記ボールを内方向に押すテーパ内周面を有する外スリーブと、
該外スリーブに対して前記内スリーブを前記テーパ外周面のつぼまり方向に付勢するスプリングと、
前記外スリーブに連結される、前記ワイヤーの吊り対象品である棚板との係合部を有する止め具と、
を具備し、
前記テーパ外周面及びテーパ内周面が、前記止め具にかかっている荷重の方向に向かって広がる面であって、前記荷重の方向に前記内スリーブを前記外スリーブから引き出すことにより、該ワイヤーグリッパーの前記ワイヤーへの係止が解除され、
前記止め具に、側方に張り出す突出部が形成されており、同突出部に前記棚板を乗せて該棚板を吊るすことができ、
前記棚板に、前記外スリーブの外径とほぼ同じ径の下孔と、該下孔と同軸上に連通する前記ワイヤーのみが通りうる大きさの上孔が開けられており、
前記外スリーブが前記棚板に埋没して、前記棚板の上面には、前記ワイヤーグリッパーのどの部分も露出せず、ワイヤーが延びるのみとなることを特徴とする吊り棚。
【発明の詳細な説明】
【技術分野】
【０００１】
本発明は、ワイヤーの任意の位置に係止可能なワイヤーグリッパー、及び、そのワイヤーグリッパーを使用して棚などの対象品（ワーク）を任意の位置（高さ）に吊り下げる物品吊り下げシステムに関する。特には、ワイヤーへの係止が自動的に解除されるおそれの少ないワイヤーグリッパー等に関する。
【背景技術】
【０００２】
本発明者は、ワイヤーの任意の位置に係止可能なワイヤーグリッパーを使用してハンガーや棚を吊り下げるシステムを各種提案している（例えば、特許文献１、２参照）。これらのワイヤーグリッパーはほぼ同様のロック・ロック解除機構を有する。
【０００３】
特許文献１に記載されている棚吊り下げ用のワイヤーグリッパーを説明する。
図６は、特許文献１に記載のワイヤーグリッパーの構造を説明する側面図である。
ワイヤーグリッパー５１は、ワイヤーＷが挿通される内スリーブ６０と、この内スリーブ６０内に保持される３個のボール６７とを有する。さらに、内スリーブ６０が収容される中空孔部７１を有する外スリーブ７０と、この外スリーブ７０に対して内スリーブ６０を付勢するスプリング９０とを有する。
【０００４】
内スリーブ６０の中心軸上には、ワイヤーＷが通されるワイヤー通し孔６１が形成されている。内スリーブ６０は、上から順に、円筒状の上部６３、下から上に向って径が狭まる先細テーパ状の外周面６５ａを有する円錐状部６５、同円錐状部６５の下面から下方に延びる、同円錐状部６５より小径の円筒状の下部６６を有する。
【０００５】
内スリーブ６０の円錐状部６５には、同部の外周面６５ａとワイヤー通し孔６１とに開口する３個のボールセット孔６４が形成されている。各ボールセット孔６４は、ワイヤー通し孔６１の孔軸の直交方向（径方向）に延びている。各ボールセット孔６４には、ボール６７が嵌合している。
【０００６】
外スリーブ７０には、中心軸上を貫通する中空孔部７１が形成されており、同中空孔部７１に内スリーブが収容される。中空孔部７１の上部内周面７１ａは、下から上に向って径が狭まるテーパ状となっている。外スリーブ７０の下部には、止め具８０が接続している。この止め具８０の中心軸上にはワイヤー通し孔８１が形成されている。また、止め具８０には、棚を水平に保持するワーク係合部８３が取り付けられている。
【０００７】
スプリング９０は、内スリーブ６０の下部６６に挿嵌されて、内スリーブ６０の円錐状部６５の下面と、外スリーブ７０に接続された止め具８０の上面間に配置されている。このスプリング９０は、内スリーブ６０を外スリーブ７０に対して上方に付勢して、内スリーブ６０の円錐状部６５のテーパ外周面６５ａを外スリーブ７０のテーパ内周面７１ａに内接させている。このとき、内スリーブ６０の各ボールセット孔６４内に嵌合しているボール６７は、外スリーブ７０のテーパ内周面７１ａで押されてワイヤー通し孔６１内に突き出て、ワイヤー通し孔６１に挿通されたワイヤーＷをグリップしている。
また、内スリーブ６０の上部６３は外スリーブ７０の中空孔部７１の上開口から突き出ている。
【０００８】
外スリーブ７０から突き出た内スリーブ６０の上部６３を押し下げると、内スリーブ６０が外スリーブ７０のテーパ内周面７１ａの径が広くなる方向へ動き、内スリーブ６０の円錐状部６５のテーパ外周面６５ａと外スリーブ７０のテーパ内周面７１ａとの間にスキマができる。そして、円錐状部６５に形成されている各ボールセット孔６４内のボール６７は、外方向へ移動可能となり、ワイヤーＷのグリップが解除される。
【０００９】
このワイヤーグリッパー５１を使用して棚板Ｓを吊り下げる際は、ワイヤーＷがグリッパー５１の内スリーブ６０から延びていく方向と、ワイヤーグリッパー５１のワイヤー通し孔６１の方向とがほぼ一直線上になるようにする必要がある。これは、図５に示すように、ワイヤーＷが斜め上に延びると、外スリーブ７０から突き出た内スリーブ６０の上部６３がワイヤーＷで下に押されて、ワイヤーＷの係止が不用意に解除されるような事態が起こりうるからである。このような事態を防止するためには、ワイヤー通し孔６１とワイヤーＷの延びる方向とがほぼ一直線上となるように内スリーブ６０を回転させる機構を備える必要がある。
【００１０】
【特許文献１】特開２００５−２４０９３１
【特許文献２】実開昭５０−１４９７８４
【発明の開示】
【発明が解決しようとする課題】
【００１１】
本発明は上記の問題点に鑑みてなされたものであって、ワイヤーへの係止が自動的に解除されるおそれのないワイヤーグリッパー等を提供することを目的とする。さらには、ワークに簡単に取り付けることができるとともに、グリッパー自体が見えにくい（特にワークの上面から見えにくい）ワイヤーグリッパーを提供することを目的とする。
【課題を解決するための手段】
【００１２】
本発明のベースとなるワイヤーグリッパーは、 下記（ア）、（イ）、（ウ）を有する内スリーブと、 （ア）ワイヤーが挿通されるワイヤー通し孔、（イ）該ワイヤー通し孔の内面及びスリーブ外周面の双方に開口する、複数のボールセット孔、（ウ）該ボールセット孔の存在する部分のスリーブ外周に形成されたテーパ外周面、前記ボールセット孔に嵌合するとともに、前記ワイヤー通し孔に一部突出して前記ワイヤーの外周面に押し当てられて前記ワイヤーを挟持する複数のボールと、前記内スリーブのテーパ外周面に接するとともに、前記ボールを内方向に押すテーパ内周面を有する外スリーブと、該外スリーブに対して前記内スリーブを前記テーパ外周面のつぼまり方向に付勢するスプリングと、前記外スリーブに連結される、前記ワイヤーの吊り対象品（ワーク）又は支持体との係合部を有する止め具と、を具備するワイヤーグリッパーであって、 前記テーパ周面が、前記止め具にかかっている荷重の方向に向かって広がる面であって、前記方向に前記内スリーブを前記外スリーブから引き出すことにより前記ワイヤーへの係止を解除することを特徴とする。
【００１３】
本発明者は、ワイヤーの任意の位置に係止可能なグリッパーや、そのようなグリッパーを使用した物品吊りシステムを多数提案している。これらのワイヤーグリッパーでは、内スリーブを外スリーブに対して押し込むことで、ワイヤーへの係止を解除するのが主であったが、本発明のワイヤーグリッパーは、内スリーブを外スリーブから引き出すことによりワイヤーへの係止を解除することとした。前者のワイヤーグリッパーでは、ワイヤーの延びる方向によっては、内スリーブがワイヤーで不用意に押されて外スリーブに押し込まれ、ワイヤーへの係止が自動的に解除されるおそれがあった。しかし、本発明のワイヤーグリッパーでは、内スリーブに押される方向の力がかかっても、この方向は、係止を解除する力の方向とは逆であるため、グリップ力が解除されることはない。
また、通常の使用状態では、内スリーブには、外スリーブから引き出す方向への力がかかりにくいので、意図的にグリップ力を解除する以外に自動的に解除されるおそれは少ない。
【００１４】
止め具に吊り対象物が係合すると、同止め具に連結している外スリーブは自重によって下方向に引っ張られる。言い換えれば、内スリーブが外スリーブに対して上方に、すなわち、外スリーブのテーパ内周面が狭まる方向に動き、同テーパ内周面でボールを内方向に押す力が強くなる。つまり、ワイヤーグリッパーにワークが吊るされることによって、グリップ力がさらに強くなる。
【００１５】
本発明においては、  前記止め具に、側方に張り出す突出部が形成されており、同突出部にワークを乗せる又は引っかけて該ワークを吊るせば、止め具にワークを係合させやすい。
【００１６】
本発明においては、  前記外スリーブがワークに埋没することとすれば、止め具の突出部にワークを乗せることができる。そして、ワイヤーグリッパーのほとんど全ての部分はワークに挿入され、ワークから露出している部分は、止め具と、内スリーブの一部のみとなるので、さらに見栄えがよくなる。
【００１７】
本発明の吊り棚は、  ワイヤーと、  該ワイヤーの任意の位置に係止可能な、上記に記載のワイヤーグリッパーと、  該ワイヤーグリッパーに連結される棚と、を備えることを特徴とする。
【００１８】
前述のように、このワイヤーグリッパーは、内スリーブに押される方向の力がかかっても、グリップ力が解除されることはない。したがって、棚を壁の前面に沿って吊るす場合など、棚からワイヤーを斜め方向に延ばす必要がある場合にも、特別な機構を設ける必要なくグリッパーから直接ワイヤーを斜め方向に延ばすことができる。
【発明の効果】
【００１９】
以上の説明から明らかなように、本発明によれば、本発明者が従来より提案しているワイヤーの任意の位置に係止可能なグリッパーにおいて、係止解除のための内スリーブの作動方向を変えることにより、ワイヤーへの係止が自動的に解除されるおそれの少ないワイヤーグリッパーを提供できる。さらに、このワイヤーグリッパーはワークの下方から取り付けられるため、ワークの上面にはワイヤーグリッパーのどの部分も露出しておらず、ワークからワイヤーが延びているのみであり、見栄えがよいという利点を有する。
【発明を実施するための形態】
【００２０】
以下、本発明の実施の形態について、図面を参照しながら詳細に説明する。
図１は、本発明の第１の実施の形態に係るワイヤーグリッパーを説明する図であり、図１（Ａ）は側面図、図１（Ｂ）は側面断面図、図１（Ｃ）は横断面図である。
このワイヤーグリッパー１は、前述したワイヤーグリッパー５１と同様に、内スリーブ１０と、内スリーブ１０を収容する中空部２１を有する外スリーブ２０と、外スリーブ２０に対して内スリーブ１０を付勢するスプリング４０と、外スリーブ２０に連結される、吊り対象品（ワーク）との係合部を有する止め具３０と、を有する。
【００２１】
内スリーブ１０の中心軸上には、ワイヤーＷ（径１．２〜１．５ｍｍ）が通されるワイヤー通し孔１１が形成されている。内スリーブ１０は、上から順に、下から上に向って径の狭まるテーパ状の外周面１３ａを有する円錐状の上部１３、同上部の下面から下方に延びる小径の円筒状の下部１５を有する。このテーパの方向は、後述する止め具３０の突出部３１にかかる荷重（白抜き矢印）の方向に向かって広くなる方向である。
【００２２】
内スリーブ上部１３には、同部の外周面とのワイヤー通し孔に開口する３個のボールセット孔１４が形成されている。各ボールセット孔１４は、ワイヤー通し孔１１の孔軸の直交方向（径方向）に延びており、各孔１４の孔軸は内スリーブ１０の同じ高さ位置にある。各孔１４には、ボール１７が嵌合している。各孔１４の径は、各ボールの径にプラスα（例えば、０．１ｍｍ）した寸法であって、ボール１７は各孔１４内で回転可能であり、孔軸方向に移動可能である。また、各孔１４の長さはボール１７の径よりやや短い。
【００２３】
外スリーブ２０は、円筒状の形状であり、中心軸上を貫通する中空孔部２１が形成されている。中空孔部２１の内周面２１ａは、上から下に向かって径の広がるテーパ状となっている。同部２１の上端部には、内側に突き出た段部２３が形成されている。また、中空孔部２１の下部には、ネジが形成されており、同ネジには、止め具３０が螺合している。止め具３０には、側方に張り出す突出部３１が形成されている。突出部３１の上面は、水平面であることが好ましい。
【００２４】
止め具３０の中央には、中心軸上に延びる貫通孔３３が開けられており、この貫通孔３３から内スリーブ下部１５が突き出している。この点が、図６のワイヤーグリッパー５１と異なる点である。すなわち、図６のワイヤーグリッパー５１は、内スリーブ６０の上部６３が外スリーブ７０の中空孔部７１の上開口から突き出していたが、本発明のワイヤーグリッパー１では、内スリーブ１０の上端は、外スリーブ２０の段部２３に当接しており、内スリーブ下部１５が外スリーブ２０の下端から止め具３０を通して突き出している。
【００２５】
止め具３０の貫通孔３３から突出した内スリーブ下部１５には、取り扱いやすくするためのナット（ツマミ）３５が螺合している。内スリーブ操作部であるツマミ３５は、内スリーブ２０のテーパ外周面１３ａが広がる方向の端部に設けられている。なお、図６のグリッパーにおける、内スリーブ操作部である内スリーブ上部６３は、内スリーブ６０のテーパ外周面６５ａが狭まる方向の端部に設けられている。つまり、内スリーブ操作部の、内スリーブのテーパ外周面のテーパ方向に対する位置が、本発明とは逆である。
【００２６】
スプリング４０は、内スリーブ下部１５に挿嵌されて、内スリーブ上部１３の下面と、止め具３０との間に配置されている。このスプリング４０は、内スリーブ１０を外スリーブ２０（止め具３０）に対して上方に付勢している。これにより、内スリーブ１０の上部１３のテーパ外周面１３ａが外スリーブ２０の中空孔部２１のテーパ内周面２１ａに内接している。なお、内スリーブ１０の上端は、外スリーブ２０の段部２３に当たって抜け止めとなっている。このとき、内スリーブ１０の各ボールセット孔１４内に嵌合している各ボール１７は、外側の面が、外スリーブ２０のテーパ内周面２１ａに接している。
【００２７】
次に、このワイヤーグリッパー１のワイヤーグリッパー作用について、図１（Ｂ）、（Ｃ）を参照して説明する。図1（Ｂ）、（Ｃ）において、実線は、内スリーブ１０のテーパ外周面１３ａが外スリーブ２０のテーパ内周面２１ａに内接している状態を示し、二点鎖線は、内スリーブ１０のテーパ外周面１３ａが外スリーブ２０のテーパ内周面２１ａから離れた状態を示す。
【００２８】
スプリング４０によって、内スリーブ１０が止め具３０に対して上方に付勢されて、内スリーブ１０の上部が外スリーブ２０の段部２３に係止されるとともに内スリーブ１０のテーパ外周面１３ａが外スリーブ２０のテーパ内周面２１ａに内接しているとき、図の実線で示すように、ボールセット孔１４に嵌合している各ボール１７は、外スリーブ２０のテーパ内周面２１ａに押されて、内側がワイヤー通し孔１１内に突き出ている。
【００２９】
ワイヤーグリッパー１をワイヤーＷに取り付ける際は、ワイヤーＷを外スリーブ２０の中空孔部２１の上開口から内スリーブ１０のワイヤー通し孔１１に挿入する。ワイヤーＷがワイヤー通し孔１１内をボールセット孔１４まで進むと、各ボール１７がワイヤーＷの先端で下方に押され、各ボール１７とともに内スリーブ１０がスプリング４０の付勢力に抗して下方に押される。すると、図１（Ｂ）、（Ｃ）の二点鎖線で示すように、内スリーブ１０のテーパ外周面１３ａと外スリーブ２０のテーパ内周面２１ａとの間にスキマができ、各ボール１７が外方向へ移動可能となってワイヤー通し孔１１が開き、ワイヤーＷが同孔１１を貫通可能となる。
【００３０】
さらにワイヤーＷをグリッパー１に挿入すると、各ボール１７はワイヤーＷと噛み合って摩擦によって下方に押され、各ボール１７とともに内スリーブ１０も下方に押され続ける。これにより、ワイヤー通し孔１１が開き続けて、ワイヤーＷはワイヤー通し孔１１内を挿通する。言い換えれば、グリッパー１がワイヤーＷに沿って上方に移動する。こうしてグリッパー１をワイヤーＷの所望の位置まで移動させた後に手を離した状態では、内スリーブ２０がスプリング４０で上方に付勢される。そして、内スリーブ１０の各ボールセット孔１４内のボール１７は、外スリーブ２０のテーパ内周面２１ａによって内方向に押されてワイヤーに押し付けられ、ワイヤーが３個のボール１７に挟まれてグリップされる。
【００３１】
グリップ力を解除するには、ツマミ３５をつまみ、内スリーブ１０を外スリーブ２０に対してスプリング４０の付勢力に抗して下方に引く。すると、図１（Ｂ）、（Ｃ）の二点鎖線で示すように、内スリーブ１０が外スリーブ２０のテーパ内周面２１ａの径が拡がる方向へ動き、内スリーブ１０の上部１３のテーパ外周面１３ａと外スリーブ２０のテーパ内周面２１ａとの間にスキマができる。そして、内スリーブ１０の上部１３に形成されている各ボールセット孔１４内のボール１７は、図1（Ｂ）、（Ｃ）の二点鎖線に示すように、このスキマの方向、すなわち、外方向へ移動する。
なお、図６のワイヤーグリッパー５１の場合は、内スリーブ６０を外スリーブ７０のテーパ内周面７１ａの径が拡がる方向へ動かすために、内スリーブ６０の上部６３を外スリーブ７０に対して押し込んでいた。つまり、本発明のワイヤーグリッパー１と、グリップ力を解除するために内スリーブ６０を移動させる方向が逆である。
【００３２】
このように、各ボール１７がボールセット孔１４内を外方向へ動くと、ボール１７がワイヤーＷから離れて、ワイヤーＷをグリップしていた力がなくなる。もしくは、同力が弱くなる。すると、ワイヤーＷはワイヤー通し孔１１内を上下方向に自由にスライドできる。なお、ボール１７は各ボールセット孔１４内に回転自在に嵌合しているため、ワイヤースライド時のボール１７とワイヤーとの摩擦は小さく、ワイヤーＷはワイヤー通し孔１１内をスムーズにスライドできる。
【００３３】
ツマミ３５を引く力を解除すると、内スリーブ１０はスプリング４０で付勢されて、内スリーブ１０の上端が外スリーブ２０の段部２３に係止されるとともに内スリーブ１０のテーパ外周面１３ａが外スリーブ２０のテーパ内周面２１ａに内接し、テーパ内周面２１ａで押し付けられたボール１７によってワイヤーＷがグリップされる。
【００３４】
次に、このワイヤーグリッパー１を使用して、棚を吊り下げた状態を説明する。
まず、棚を吊り下げる手順を説明する。
図２は、棚を吊り下げる手順を説明する図である。
まず、図２（Ａ）に示すように、棚板Ｓの下側から、ワイヤーグリッパー１の外スリーブ２０の外径とほぼ同じ径の下孔１０１を開け、棚板Ｓの上側から同孔１０１と同軸上に連通する、ワイヤーＷが通る上孔１０２を開ける。そして、下孔１０１の下方からワイヤーグリッパー１を差し込み、図２（Ｂ)に示すように、ワイヤーグリッパー１の止め具３０の突出部３１の上面を棚板Ｓの下面に当てる。そして、ワイヤーＷを棚の上孔１０２からワイヤーグリッパー１のワイヤー通し孔１１に通す。
【００３５】
こうしてワイヤーグリッパー１に棚板Ｓが吊るされた状態では、棚板Ｓが係止されている止め具３０に螺合している外スリーブ２０は自重によって下方向に引っ張られる。言い換えれば、内スリーブ１０は、相対的に外スリーブ２０に対して上方へ動く。つまり、内スリーブ１０は、外スリーブ１０のテーパ内周面１３ａが狭まる方向に動き、ボール１７を内方向に押す力が強くなる。つまり、ワイヤーグリッパー１に物品が吊るされることによって、グリップ力はさらに強くなる。
【００３６】
また、図２（Ｂ）に示すように、ワイヤーグリッパー１のほとんど全ての部分は棚板Ｓ内に挿入されており、棚板Ｓから露出している部分は、止め具３０、内スリーブ１０の下部１５の一部及びツマミ３５の部分のみである。特に棚板Ｓの上面にはどの部分も露出しておらず、ワイヤーＷが延びているのみである。したがって、見栄えがよいとともに、棚板Ｓに何かを置く際にも、グリッパー１が邪魔になることがない。
【００３７】
棚板Ｓの高さを変える場合は、図２（Ｃ)に示すように、ツマミ３５をつまんで下に引いてグリップ力を解除し、棚板Ｓをグリッパー１とともに所望の高さにスライドさせた後、ツマミ３５を下に引く力を離す。
【００３８】
なお、図２（Ｂ）の想像線で示すように、ワイヤーＷを棚板Ｓの下から斜め下方向に延ばした場合、ツマミ３５、すなわち、ツマミ３５が螺合している内スリーブ１０にはワイヤーＷから上に押される力がかかる。しかし、図１（Ｂ）に示すように、内スリーブ１０は、上端が外スリーブ２０の段部２３に係止されて抜け止めとなっているとともに、この方向はグリップを解除する力の方向とは逆であるため、グリップ力が解除されることはない。
【００３９】
図３は、本発明に関連するワイヤーグリッパーの構造を示す側面図である。
この例のワイヤーグリッパー１´は、図１のワイヤーグリッパー１とほぼ同様の構成を有するが、外スリーブ２０が棚に埋没しないタイプのものである。この例では、外スリーブ２０に止め具が設けられておらず、外スリーブ２０の上面に棚板Ｓが係止される。
【００４０】
この例のワイヤーグリッパー１´で棚板Ｓを吊り下げる際は、棚板ＳにワイヤーＷが通される孔１０２を開ける。そして、この孔１０２の下方に、ワイヤーグリッパー１´をワイヤー通し孔１１と孔１０２とが直線上に並ぶように当てる。そして、前述のように、ワイヤーＷを棚板Ｓの孔１０２からワイヤーグリッパー１´のワイヤー通し孔１１に通す。
【００４１】
このワイヤーグリッパー１´を使用する際は、図２（Ａ)で示したような、棚板Ｓに外スリーブ２０が埋没する孔１０１を開ける必要はない。しかし、グリッパー全体が棚板Ｓの下方に露出する。
【００４２】
図４は、本発明の実施の形態に係る吊り棚を示す図である。
図４（Ａ）は、３枚の棚板Ｓを縦方向に並べて吊るす例を示す。各棚板Ｓの四隅には、ワイヤーグリッパー１が図２で示した方法により取り付けられている。各ワイヤーグリッパー１にはワイヤーＷがまっすぐに挿通されている。各ワイヤーＷの上端は天井に付設されたレールＲ１に固定されており、下端は床面に付設されたレールＲ２に固定されている。図に示すように、棚板Ｓの上面には、グリッパーのどの部分も露出しておらず、見栄えがよい。
【００４３】
図４（Ｂ）も、３枚の棚板Ｓを縦方向に並べて吊るすものであるが、この例では、棚板Ｓを壁面Ｆの前方に吊るしている。このため、最上段と最下段の棚板Ｓの手前側のグリッパー１に挿通されたワイヤーＷは、棚板Ｓから壁面Ｆに向かって斜め上方向及び斜め下方に延びている。このようにワイヤーＷがグリッパー１から斜め方向に延びて、ツマミ（内スリーブ）がこのワイヤーＷで押されても、前述のようにグリップが解除されるおそれはない。
【００４４】
図５は、図１のワイヤーグリッパーの他の使用例を示す側面断面図である。
この例では、図１のワイヤーグリッパー１を上下方向に逆さにして使用する。この場合、支持体に貫通孔を開けて、同孔にグリッパー１を上から挿入し、止め具３０の突出部３１を支持体に乗せる。
【００４５】
このワイヤーグリッパー１に挿通されたワイヤーＷの下端にフックＦを取り付け、フックＦに物品を引っ掛けると、ワイヤーＷは下へ引っ張られる。これにより、ワイヤーＷが噛み合っているボール１７とともに、内スリーブ１０は下方に、すなわち、外スリーブ１０のテーパ内周面１３ａが狭まる方向に動き、ボール１７を内方向に押す力が強くなる。つまり、ワイヤーグリッパー１に物品が吊るされることによって、グリップ力はさらに強くなる。
なお、この例では、止め具３０の突出部３１には、相対的に上方向（白抜き矢印の方向）の荷重がかかる。この方向は、内スリーブ１０のテーパ外周面１３ａが広くなる方向である。
【００４６】
ワイヤーＷの長さを変える場合は、ツマミ３５を上に引いてグリップ力を解除し、ワイヤーＷを所望の長さだけスライドさせた後、ツマミ３５を離す。
【図面の簡単な説明】
【００４７】
【図１】本発明の第１の実施の形態に係るワイヤーグリッパーを説明する図であり、図１（Ａ）は側面図、図１（Ｂ）は側面断面図、図１（Ｃ）は横断面図である。
【図２】棚を吊り下げる手順を説明する図である。
【図３】本発明の第２の実施の形態に係るワイヤーグリッパーの構造を示す側面図である。
【図４】本発明の実施の形態に係る吊り棚を示す図である。
【図５】図１のワイヤーグリッパーの他の使用例を示す側面断面図である。
【図６】特許文献１に記載のワイヤーグリッパーの構造を説明する側面図である。
【符号の説明】
【００４８】
１  ワイヤーグリッパー                １０  内スリーブ
１１  ワイヤー通し孔                    １３  上部
１４  ボールセット孔                    １５  下部
１７  ボール                            ２０  外スリーブ
２１  中空部                            ２３  段部
３０  止め具                            ３１  突出部
３３  ワイヤー通し孔                    ３５  ナット（ツマミ）
４０  スプリング
【図１】
0005393037.tif 000002
【図２】
0005393037.tif 000003
【図３】
0005393037.tif 000004
【図４】
0005393037.tif 000005
【図５】
0005393037.tif 000006
【図６】
0005393037.tif 000007